(57)【特許請求の範囲】
【請求項１】
ポンプ式容器に収納された内容物を放出口から外部空間に放出するための操作対象である操作部と、
前記操作部と連動するピストンと、
前記ピストンの移動に応じて作動する吸込弁と、
前記ピストンおよび前記吸込弁の間に形成された上流側通路部と、
前記上流側通路部との連通部分から前記放出口にいたる下流側通路部と、
前記下流側通路部に設けられた吐出弁と、
前記ポンプ式容器の開口部キャップと一体化されて、前記放出口を、前記操作部の作動時にも移動しない態様で設定するための放出口設定用部材と、
を備え、
前記ピストンは、前記吐出弁が開状態となる放出モードから当該吐出弁が閉状態に復帰した放出終了モードへの移行用孔部を周面部分に形成した、シリンダの内部に設けられており、
前記操作部とともに前記ピストンのシール作用部分が、その静止モード位置から、放出モード位置を経て前記孔部まで進むことにより、前記下流側通路部が前記上流側通路部以外の空間域とも連通して前記吐出弁へ作用する内容物の圧力が下がり、その結果それまでの放出モードから放出終了モードに移行する、
ことを特徴とするポンプ式容器の内容物放出機構。
【請求項２】
前記吐出弁は蓄圧式の弁である、
ことを特徴とする請求項１記載のポンプ式容器の内容物放出機構。
【請求項３】
前記移行用孔部は、前記上流側通路部と前記下流側通路部との間の連通孔部である、
ことを特徴とする請求項１または２記載のポンプ式容器の内容物放出機構。
【請求項４】
前記移行用孔部は、前記シリンダと、それの上流に設けられた吸込弁側空間域との間の連通孔部である、
ことを特徴とする請求項１または２記載のポンプ式容器の内容物放出機構。
【請求項５】
前記上流側通路部は、容器本体の縦方向に対応した空間域からなり、
前記下流側通路部は、容器本体の横方向に対応した空間域からなる、
ことを特徴とする請求項１乃至４のいずれかに記載のポンプ式容器の内容物放出機構。
【請求項６】
前記上流側通路部および前記下流側通路部は、それぞれ容器本体の縦方向に対応した空間域からなる、
ことを特徴とする請求項１乃至４のいずれかに記載のポンプ式容器の内容物放出機構。
【請求項７】
前記ピストンを静止モード位置に付勢するための第１の弾性部材および前記吐出弁を閉状態に付勢するための第２の弾性部材をそれぞれ、前記上流側通路部および前記下流側通路部の外側に配した、
ことを特徴とする請求項１乃至６のいずれかに記載のポンプ式容器の内容物放出機構。
【請求項８】
前記吸込弁は、全体が合成樹脂製で、当該吸込弁を閉状態に付勢するための弾性部材付きの可動弁部分からなる、
ことを特徴とする請求項１乃至７のいずれかに記載のポンプ式容器の内容物放出機構。
【請求項９】
請求項１乃至８のいずれかに記載の内容物放出機構を備え、かつ、内容物を収容した、
ことを特徴とするポンプ式製品。
【発明の詳細な説明】
【技術分野】
【０００１】
本発明は、ポンプ式容器の内容物放出機構に関し、特に内容物の放出口部分を操作部の作動時にも移動しない固定部材の形で設定して、放出口側の吐出弁に蓄圧式のものを用い、また、内容物の放出モードへの設定操作にともない操作部が所定ストロークだけ移動したときには、当該吐出弁がそれまでの開状態（＝放出モード）から閉状態（＝放出終了モード）へと確実に切り換わる機構とすることにより、ポンプ式製品の放出モードの設定操作時に内容物放出口の位置が操作部に応じて動くのを防ぐとともに、内容物の放出開始動作および放出終了動作をいわばシャープにしたものである。【０００２】
本発明の内容物放出機構は、点鼻薬剤をはじめとする後述の各種内容物のポンプ機構として用いられる。【０００３】
なお、本明細書で用いる「ポンプ式」とは、利用者が、操作部や、容器の一部（周面部分など）などを例えば押圧することにより内容物収納空間の容積が小さくなって、その中の内容物が外部空間に放出される方式を示しており、いわゆる押出式，チューブ式なども含む概念である。
【背景技術】
【０００４】
従来、ポンプ式容器に収納された内容物の放出口を操作部とは別の固定部材に設けた内容物放出機構としては、下記の特許文献で開示のものがある。なお、以下の[  ]付きの番号はそれぞれ当該特許文献での参照番号を示している。【０００５】
ここでは押圧体[15]，シール体[14]および大ピストン[23]が一体化しており、操作部である押圧体を利用者が押し下げると大ピストンも下方向に移動する。【０００６】
その結果、大ピストン[23]と、これに対して相対移動可能な小ピストン[22]の透孔[22c1]を塞いでいる吸込弁としての弾性体チューブ[22e]と、の間の空間[B]内の薬液の圧力が上昇する。【０００７】
この押圧体[15]の押下げ操作を何回かやって空間[B]内の薬液圧力が所定値まで上がると、その圧力によって小ピストン[22]が押下げられて、両ピストンの接触部分（吐出弁）である円錐形段部[23c1]などが離間する。これにより空間[B]内の薬液は、当該離間部分，軸孔[23c]，空間[D]を経てノズル[16]のノズル孔[16a1]から患部に噴射される。【０００８】
なおノズル[16]は、容器本体[11]と一体のアダプタ[13]に固定されており、押圧体[15]の押下げ操作時にも移動することはない。
【特許文献１】特許第３１７７６９５号公報
【発明の開示】
【発明が解決しようとする課題】
【０００９】
以上のポンプ式容器の内容物放出機構は、そのノズル孔[16a1]を備えたノズル[16]が押圧体[15]から独立した別部材であって、当該押圧体の操作時にも当該ノズルが下動しない構成となっており、この点では使い勝手のよいものである。【００１０】
その一方で、押圧体[15]と連動する大ピストン[23]の他にこれと相対的に上下動可能な小ピストン[22]を設けて、これらピストン間の接触・離間により吐出弁の作用を呈している。また、吸込弁として作用するのは、小ピストン[22]の透孔[22c1]とこれを塞いでいる弾性体チューブ[22e]である。【００１１】
そして、放出モードにおける上記吐出弁は、空間[B]内の薬液がノズル孔[16a1]から噴射されて当該空間内部の薬液の圧力がいわば徐々に減少して閾値以下になった段階で閉じ、放出終了モードへと移行する。すなわち、当該空間内部の薬液圧力の減少にともない、小ピストン[22]が上方に復帰して大ピストン[23]の軸孔[23c]を閉じるので、薬液は噴射されなくなる。【００１２】
上記内容物放出機構は、このように吸込弁だけでなく吐出弁までも上下方向の上流側通路部に設けた大ピストン[23]および小ピストン[22]などにより形成している、すなわち当該上流側通路部に続くノズル孔[16a1]までの下流側通路部には弁部材は存在しないため、全体の構造が複雑化してしまい、薬液の流れもスムーズではないという問題点があった。【００１３】
また、放出モードにおける空間[B]内の薬液圧力が徐々に減少する態様のため、薬液の噴射終了動作（放出モードから放出終了モードへの移行動作）のシャープさにかけるという問題点を有している。【００１４】
そこで本発明では、内容物の吐出弁を、操作部と連動するピストンと吸込弁との間に形成される上流側通路部ではなく、これと連通して、（操作部と連動することのない）固定タイプの内容物放出口へと進む下流側通路部に設けて、吸込弁から吐出弁にいたるまでの、ポンプ構造のシンプル化や内容物の流れのスムーズ化を図ることを目的とする。【００１５】
また、下流側通路部の吐出弁を蓄圧式のものとし、さらには利用者が操作部を所定ストロークだけ移動させた段階での当該吐出弁に対する内容物圧力の急減により（それまでの操作部の移動により放出モードの開状態となっていた）当該吐出弁がいわば瞬時に閉じるようにして、内容物の放出開始，放出終了の動作自体のシャープ化を図ることを目的とする。【００１６】
また、操作部およびこれと一体のピストンを静止モード位置に付勢するための第１の弾性部材や吐出弁を閉状態に付勢するための第２の弾性部材を内容物の通路部の外側に配し、さらには吸込弁を合成樹脂製のものとし、内容物放出機構の構成要素である金属部分が内容物と接触する機会をなくして、当該接触にともなう内容物の性状変化や機構自体の性能劣化などの抑止を図ることを目的とする。
【課題を解決するための手段】
【００１７】
本発明は、以上の課題を次のようにして解決する。
（１）ポンプ式容器に収納された内容物を放出口（例えば後述の孔部８ｂ，５７ａ，７１ａ）から外部空間に放出するための操作対象である操作部（例えば後述の操作ボタン１，４１、操作レバー２１）と、
前記操作部と連動するピストン（例えば後述の鞘状ピストン２，２２，４２）と、
前記ピストンの移動に応じて作動する吸込弁（例えば後述の環状受け面３ｃおよび球体５，環状受け面２７ａおよび球体５，環状受け面５１ｃおよび球体５，環状受け面８１ｃおよび半球体部分８４ｃ）と、
前記ピストンおよび前記吸込弁の間に形成された上流側通路部（例えば後述の上流側通路部Ａの一部）と、
前記上流側通路部との連通部分（例えば後述の孔部３ｆ，２３ｋ，３１ｋ，４４ｋ，５１ｈ，８１ｇ）から前記放出口にいたる下流側通路部（例えば後述の下流側通路部Ｂ）と、
前記下流側通路部に設けられた吐出弁（例えば後述の環状縁部８ｂおよび環状テーパ面９ａ，環状縁部２４ａおよび環状テーパ面９ａ，環状縁部３２ａおよび環状テーパ面９ａ，環状縁部４６ａおよび環状テーパ面４７ａ，先端側弁作用部分５８ａ，７２ａ，環状縁部８２ａおよび環状テーパ面８３ａ，環状突状部８２ｂおよび中間外周面８３ｂ）と、
前記ポンプ式容器の開口部キャップ（例えば後述のネジキャップ３，２３，３１，４４，５１，８１）と一体化されて、前記放出口を、前記操作部の作動時にも移動しない態様で設定するための放出口設定用部材（例えば後述の横方向ノズル３ｅ，横方向ノズル部材２４，５６，８２，縦方向ノズル部材３２，４５）と、
を備え、
前記ピストンは、前記吐出弁が開状態となる放出モードから当該吐出弁が閉状態に復帰した放出終了モードへの移行用孔部（例えば後述の孔部３ｆ，５１ｈ，８１ｇ，２３ｄ，３１ｄ，４４ｄ）を周面部分に形成した、シリンダ（例えば後述の内側筒状部３ａ，５１ａ，８１ａ，後側横筒状部２３ｂ，中間鞘状部３２ｂ，４４ｂ）の内部に設けられており、
前記操作部とともに前記ピストンのシール作用部分（例えば後述のシール作用部分２ｂ，２２ｂ，４２ｂ）が、その静止モード位置から、放出モード位置を経て前記孔部まで進むことにより、前記下流側通路部が前記上流側通路部以外の空間域（例えば後述の通路外空間域Ｅ）とも連通して前記吐出弁へ作用する内容物の圧力が下がり、その結果それまでの放出モードから放出終了モードに移行する、
構成のものを用いる。
（２）上記（１）において、
前記吐出弁を蓄圧式の弁とする。
（３）上記（１），（２）において、
前記移行用孔部は、前記上流側通路部と前記下流側通路部との間の連通孔部（例えば後述の孔部３ｆ，５１ｈ，８１ｇ）である、
構成のものを用いる。
（４）上記（１），（２）において、
前記移行用孔部は、前記シリンダ（例えば後述の後側横筒状部２３ｂ，中間鞘状部３２ｂ，４４ｂ）と、それの上流に設けられた吸込弁側空間域（例えば後述の縦筒状部２３ａ，下側縦筒状部３１ａ，４４ａ）との間の連通孔部（例えば後述の孔部２３ｄ，３１ｄ，４４ｄ）である、
構成のものを用いる。
（５）上記（１）〜（４）において、
前記上流側通路部は、容器本体（例えば後述の容器本体１２）の縦方向に対応した空間域からなり、
前記下流側通路部は、容器本体の横方向に対応した空間域からなる、
構成のものを用いる。
（６）上記（１）〜（４）において、
前記上流側通路部および前記下流側通路部は、それぞれ容器本体の縦方向に対応した空間域からなる、
構成のものを用いる。
（７）上記（１）〜（６）において、
前記ピストンを静止モード位置に付勢するための第１の弾性部材（例えば後述のコイルスプリング４３，５３）および前記吐出弁を閉状態に付勢するための第２の弾性部材（例えば後述のコイルスプリング４８，５９）をそれぞれ、前記上流側通路部および前記下流側通路部の外側に配した、
構成のものを用いる。
（８）上記（１）〜（７）において、
前記吸込弁は、全体が合成樹脂製で、当該吸込弁を閉状態に付勢するための弾性部材付きの可動弁部分（例えば後述の半球体部分８４ｃ）からなる、
構成のものを用いる。
【００１８】
本発明は、以上の特徴を持つ内容物放出機構を対象とするとともに、この内容物放出機構を備えたポンプ式製品も対象にしている。
【発明の効果】
【００１９】
本発明は、このようにポンプ式製品の吐出弁を、吸込弁と操作部連動のピストンとの間の上流側通路部ではなく、当該通路部と連通して固定タイプの内容物放出口へ続く下流側通路部に設けているので、放出モードへの設定操作で操作部が移動する時にも内容物放出口は操作前の静止モードの位置に保持されたままとなって使い勝手が良いというばかりでなく、ポンプ機構自体をシンプルなものとし、そこでの内容物の流れをスムーズなものにすることができる。【００２０】
また、下流側通路部の吐出弁を蓄圧式のものとし、さらには操作部が所定ストロークだけ移動する、すなわち上流側通路部を特定するピストンのシール作用部分がシリンダ内周面に接しながら（上流側通路部と下流側通路部との）連通孔部の対向位置へ進むと、その直前まで内容物通路部から分離されていたシリンダ空間域が当該孔部を経て上流側通路部や下流側通路部に連通し、吐出弁への内容物の圧力が急減する構造にしているので、当該吐出弁の開閉動作の俊敏化が図れて、内容物の放出開始および放出終了の各動作のいわゆる「きれ」をよくすることができる。【００２１】
また、操作部およびこれと一体のピストンを静止モード位置に付勢するための第１の弾性部材や吐出弁を閉状態に付勢するための第２の弾性部材を内容物の通路部の外側に配し、さらには吸込弁を合成樹脂製のものとし、内容物放出機構の構成要素である金属部分が内容物と接触する機会をなくしているので、当該接触にともなう内容物の性状変化や機構自体の性能劣化などの抑止を図ることができる。
【図面の簡単な説明】
【００２２】
【図１】図１は内容物放出機構（その１：縦方向の上流側通路部と横方向の下流側通路部，縦方向押ボタンタイプ）の静止モードを示している。（実施例１）
【図２】図２は図１の内容物放出機構の放出モードを示している。（実施例１）
【図３】図３は図１の内容物放出機構の放出終了モードを示している。（実施例１）
【図４】図４は内容物放出機構（その２：縦方向の上流側通路部と横方向の下流側通路部，トリガレバータイプ）の静止モードを示している。（実施例２）
【図５】図５は内容物放出機構（その３：縦方向の上流側通路部と縦方向の下流側通路部，トリガレバータイプ）の静止モードを示している。（実施例３）
【図６】図６は内容物放出機構（その４：縦方向の上流側通路部と縦方向の下流側通路部，横方向押ボタンタイプ，通路部のコイルスプリングレス）の静止モードを示している。（実施例４）
【図７】図７は内容物放出機構（その５：縦方向の上流側通路部と横方向の下流側通路部，縦方向押ボタンタイプ，チップシール機能，通路部のコイルスプリングレス）の静止モードを示している。（実施例６）
【図８】図８は図７の内容物放出機構の放出モードを示している。（実施例６）
【図９】図９は図７の内容物放出機構の放出終了モードを示している。（実施例６）
【図１０】図１０は内容物放出機構（その６：縦方向の上流側通路部と横方向の下流側通路部，縦方向押ボタンタイプ，チップシール機能，通路部のコイルスプリングレス）の静止モードを示している。（実施例７）
【図１１】図１１は内容物放出機構（その７：縦方向の上流側通路部と横方向の下流側通路部，縦方向押ボタンタイプ，通路部のコイルスプリングレス，合成樹脂製のスプリング付きの吸込弁，カバーキャップ）の静止モードを示している。（実施例８）
【符号の説明】
【００２３】
なお、以下のアルファベット付き参照番号が示す構成要素（例えばスカート部２ａ）はアルファベットなしの参照番号の構成要素（例えば鞘状ピストン２）の一部であることを示している。
【００２４】
また、以下の説明における各参照番号は内容物放出機構の各実施形態の図ごとにまとめられているが、ある図（例えば図１〜図３）の説明で出てくる参照番号は、必要に応じて、その他の図（例えば図４〜図１１）でも当該参照番号の構成要素と同種のものを示す指標として用いる。
【００２５】
先ず図１〜図３において、
１は操作ボタン，
２は操作ボタン１と嵌合して一体化された鞘状ピストン，
２ａは後述の内側筒状部３ａの内周面に当接してシール作用を呈するスカート部，
２ｂは当該スカート部の先端側のシール作用部分，
３はポンプ式製品の後述の容器本体１２の開口側筒状部に螺合するネジキャップ，
３ａは鞘状ピストン２および後述の球体５などを収納して上流側通路部Ａ（の一部）を設定する縦方向の内側筒状部，
３ｂは当該内側筒状部自体の下部分に形成された内容物流入用の孔部，
３ｃは当該孔部に続く下流側に形成されて後述の球体５とともに吸込弁を構成する環状受け面，
３ｄは内側筒状部３ａの外周面とその周方向に部分的につながっている縦方向の外環状部，
３ｅは上流側通路部Ａに続く下流側通路部Ｂを設定する横方向のノズル，
３ｆは上流側通路部Ａおよび下流側通路部Ｂの連通用の孔部，
３ｇは内側筒状部３ａの上端部分の周方向に間歇的に形成されて外気（図２参照）や内容物（図３参照）が通過する凹状の欠落部，
４はネジキャップ３の外側上筒状部３ｄに嵌合して操作ボタン１や鞘状ピストン２の上下動に対するガイド機能を備えた筒状のカバー体，
４ａは当該カバー体をネジキャップ３に取り付ける際にノズル３ｅとの衝突を回避するための周面開口部
５は環状受け面３ｃに密接できる態様で配されて吸込弁を構成する球体，
６は鞘状ピストン２の底面段部と内側筒状部３ａの内周面段部との間に配されて当該鞘状ピストンを上方向に付勢するコイルスプリング，
７は内側筒状部３ａとカバー体４とに挟持されて鞘状ピストン２の外周面に当接するシール用の環状ラバー，
８はノズル３ｅの開口側に嵌合して一体化された出力側ピース，
８ａは当該出力側ピースの内面部分であって後述のピストン９の環状テーパ面９ａとともに蓄圧式の吐出弁を構成する環状縁部，
８ｂは内容物出力用の孔部，
９はノズル３ｅ（および図４の横方向ノズル部材２４，図５の縦方向ノズル部材３２）の内部に配されて蓄圧式の吐出弁機能を持つピストン，
９ａは蓄圧式の吐出弁を構成する環状テーパ面，
９ｂはノズル３ｅの内周面に当接してシール作用を呈する、孔部８ｂの側（図示左側）のスカート部，
９ｃは当該スカート部の基部側の部分であって、後述のコイルスプリング１０による付勢方向とは逆方向（図示右方向）への内容物圧力を受ける環状平面，
９ｄは後述のコイルスプリング１０を受ける環状溝部の周方向に間歇的に形成された内容物通過用の孔部，
１０はピストン９を孔部８ｂに近づく方向（図示左方向）に付勢するコイルスプリング，
１１はネジキャップ３の内側筒状部３ａの下端側に取り付けられた内容物吸込用のチューブ，
１２は点鼻薬剤などを入れた容器本体，
Ａはチューブ１１から内容物流入用の孔部３ｂ（および吸込弁）を経て鞘状ピストン２や連通用の孔部３ｆにいたる上流側通路部，
Ｂは連通用の孔部３ｆから内容物出力用の孔部８ｂにいたる下流側通路部，
Ｃは放出モードにおける内容物の流れ，
Ｄは操作ボタン１を押下げ操作した放出モードにおいて容器本体内部に供給される外気の流れ，
Ｅは鞘状ピストン２，ネジキャップ３の内側筒状部３ａ・外側上筒状部３ｄ，カバー体４および環状ラバー７などで特定されて容器本体に通じる通路外空間域，
をそれぞれ示している。
【００２６】
図４で新たに用いる参照番号２１〜２７について、
２１は回動タイプの操作レバー（トリガレバー），
２１ａは回動軸，
２１ｂは内面に形成されて後述の鞘状ピストン２２と当接するリブ状部
２２はその後端部分が椀状部２１ｂと当接した状態の鞘状ピストン，
２２ａは後述の後側横筒状部２３ｂの内周面に当接してシール作用を呈するスカート部，
２２ｂは当該スカート部の先端側のシール作用部分，
２３は容器本体１２の開口側筒状部に螺合して後述の横方向ノズル部材２４が取り付けられるネジキャップ，
２３ａは上流側通路部Ａ（の一部）を設定する縦筒状部，
２３ｂは当該縦筒状部に続く部分であり、鞘状ピストン２２のスカート部２２ａおよび後述のコイルスプリング２６などを収納して上流側通路部Ａ（の一部）を設定する後側横筒状部，
２３ｃは当該後側横筒状部の図示左方に続く部分であり、ピストン９の図示右側のスカート部およびコイルスプリング１０などを収納して下流側通路部Ｂ（の一部）を設定する前側横筒状部，
２３ｄは縦筒状部２３ａおよび後側横筒状部２３ｂの各内部空間域同士を連通させ、かつ、放出終了モードにおいて鞘状ピストン２２のシール作用部分２２ｂ（の一部）と当該横筒状部との間のシール状態を解除する機能を備えた孔部（図３参照），
２３ｅは縦筒状部２３ａの下側天井部分から下方に延びて球体５の上方向への移動量を制限する規制片，
２３ｆはキャップ内周面の上側に形成されて後述のハウジング２７を係合保持する環状突状部，
２３ｇは後述の横方向ノズル部材２４を嵌合保持する上部分前側の環状凹部，
２３ｈは後述の受け側ピース２５を嵌合保持する上部分後端側の外環状部，
２３ｊは放出モードにおいて容器本体内部に供給される外気の通路域（図２のＤ参照），
２３ｋは上流側通路部Ａおよび下流側通路部Ｂの連通用の孔部，
２４はネジキャップ２３の環状凹部２３ｇなどに保持されて操作レバー２１の取付け基部となり、またピストン９の前後動に対するガイド機能や当該ピストンとの間の吐出弁機能を備えた横方向ノズル部材，
２４ａはピストン９との間で環状縁部８ａと同様の作用を呈する環状縁部，
２４ｂは出力側ピース８が取り付けられて、当該環状縁部２４ａから外部空間への内容物通路となる出力空間域，
２４ｃはその内周面でピストン９のスカート部９ｂとのシール作用を呈し、その後端側部分が環状凹部２３ｇに保持される内側筒状部，
２４ｄは側板内面部分に形成されて操作レバー２１の回動軸２１ａを支持する一対の凹状部，
２５は環状ラバー７や鞘状ピストン２２などをいわば受けた状態でネジキャップ２３の外環状部２３ｈに嵌合保持される受け側ピース、
２５ａは外環状部２３ｈに対応した嵌合保持用の環状凹部，
２５ｂは鞘状ピストン２２の後側小径部分の前後動を案内するための中央孔部，
２６は鞘状ピストン２２を後方向に付勢するコイルスプリング，
２７はネジキャップ２３の環状突状部２３ｆに係合保持されて球体５とともに吸込弁を構成し、またチューブ１１の取付け部を備えたハウジング，
２７ａは球体５とともに吸込弁を構成する環状受け面，
をそれぞれ示している。
【００２７】
図５で新たに用いる参照番号３１，３２について、
３１は容器本体１２の開口側筒状部に螺合して後述の縦方向ノズル部材３２が取り付けられるネジキャップ，
３１ａは縦筒状部２３ａと同様の作用を呈する下側縦筒状部，
３１ｂは後側横筒状部２３ｂと同様の作用を呈する中間鞘状部，
３１ｃは当該横鞘状部の上方に続く部分であり、（コイルスプリング１０の弾性作用で上方向に付勢され、また作動モードの設定操作時の内容物圧力の増加に基づいて当該付勢力に抗しながら下方向に移動する）ピストン９の下側のスカート部および当該コイルスプリングなどを収納して下流側通路部Ｂ（の一部）を設定する上側縦筒状部，
３１ｄは下側縦筒状部３１ａおよび中間鞘状部３１ｂの各内部空間域同士を連通させ、かつ、鞘状ピストン２２のシール作用部分２２ｂ（の一部）と当該中間鞘状部との間のシール状態を解除して、それまでの放出モードを放出終了モードに移行させる機能を備えた孔部（図３参照），
３１ｅは規制片２３ｅと同様の作用を呈する規制片，
３１ｆは環状突状部２３ｆと同様の作用を呈する環状突状部，
３１ｇは後述の縦方向ノズル部材３２を嵌合保持する縦方向の外環状部，
３１ｈは外環状部２３ｈと同様の作用を呈する横方向の外環状部，
３１ｊは放出モードにおいて容器本体内部に供給される外気の通路域（図２のＤ参照），
３１ｋは上流側通路部Ａおよび下流側通路部Ｂの連通用の孔部，
３２はネジキャップ３１の縦方向の外環状部３１ｇなどに保持されて操作レバー２１の取付け基部となり、またピストン９の前後動に対するガイド機能や当該ピストンとの間の吐出弁機能を備えた縦方向ノズル部材，
３２ａは環状縁部２４ａと同様の作用を呈する環状縁部，
３２ｂは出力空間域２４ｂと同様の作用を呈する出力空間域，
３２ｃはその内周面でピストン９のスカート部９ｂとのシール作用を呈する内側の縦環状部，
３２ｄは凹状部２４ｄと同様の作用を呈する一対の凹状部，
をそれぞれ示している。
【００２８】
図６で新たに用いる参照番号４１〜４８について、
４１は２５の上面部分に案内されながら横方向に移動する押圧タイプの操作ボタン，
４２は操作ボタン４１と嵌合した状態の鞘状ピストン，
４２ａは図５のスカート部２２ａと同様の作用を呈するスカート部，
４２ｂは図５のシール作用部分２２ｂと同様の作用を呈するシール作用部分，
４３は鞘状ピストン４２の突出した外周面部分に巻装されて操作ボタン４１を図示右方向に付勢するコイルスプリング，
４４は容器本体１２の開口側筒状部に螺合して後述の縦方向ノズル部材４５が取り付けられるネジキャップ，
４４ａは下側縦筒状部３１ａと同様の作用を呈する下側縦筒状部，
４４ｂは図５の中間鞘状部３１ｂからコイルスプリング２６を除いた態様の中間鞘状部，
４４ｃは図５の上側縦筒状部３１ｃからコイルスプリング１０を除いた態様の上側縦筒状部，
４４ｄは下側縦筒状部４４ａおよび後側横筒状部４４ｂの各内部空間域同士を連通させ、かつ、放出終了モードにおいて鞘状ピストン４２のシール作用部分４２ｂ（の一部）と当該横筒状部との間のシール状態を解除する機能を備えた孔部（図３参照），
４４ｅは規制片２３ｅと同様の作用を呈する規制片，
４４ｆは環状突状部２３ｆと同様の作用を呈する環状突状部，
４４ｇは後述の縦方向ノズル部材４５を嵌合保持する縦方向の外環状部，
４４ｈは外環状部２３ｈと同様の作用を呈する横方向の外環状部，
４４ｊは放出モードにおいて容器本体内部に供給される外気の通路域（図２のＤ参照），
４４ｋは上流側通路部Ａおよび下流側通路部Ｂの連通用の孔部，
４５は縦方向ノズル部材３２と同様の作用を呈する縦方向ノズル部材，
４５ａは出力空間域３２ｂと同様の作用を呈する出力空間域，
４５ｂはその内周面で後述のピストン４７の上スカート部４７ｃとのシール作用を呈する内側の縦環状部，
４６は縦方向ノズル部材４５の出力空間域４５ａの手前側に嵌合保持されて蓄圧式の吐出弁の作用を呈する筒状体，
４６ａは後述のピストン４７の環状テーパ面４７ａとともに吐出弁を構成する環状縁部，
４７は縦方向ノズル部材４５の内部に配されて蓄圧式の吐出弁機能を持つピストン，
４７ａは環状縁部４６ａとともに吐出弁を構成する環状テーパ面，
４７ｂはネジキャップ４４の上側縦筒状部４４ｃの内周面に当接してシール作用を呈する下スカート部，
４７ｃは縦方向ノズル部材４５の縦環状部４５ｂの内周面に当接してシール作用を呈する上スカート部，
４７ｄは当該上スカート部の基部側の部分であって下方向への内容物圧力を受ける水平状の環状平面，
４７ｅは当該上スカート部の内側の環状溝部の周方向に間歇的に形成された内容物通過用の孔部，
４８はネジキャップ４４の縦方向の外環状部４４ｇおよび上側縦筒状部４４ｃの外周面の間の環状溝部分の底面と、ピストン４７の上スカート部４７ｃの外周面側段部分との間に配設されて、当該ピストンを上方向に付勢するコイルスプリング，
をそれぞれ示している。
【００２９】
図７〜図９で新たに用いる参照番号５１〜６０について、
５１は容器本体１２の開口側筒状部に螺合するネジキャップ，
５１ａは内側筒状部３ａと同様の作用を呈する縦方向の内側筒状部，
５１ｂは孔部３ｂと同様の作用を呈する内容物流入用の孔部，
５１ｃは環状受け面３ｃと同様の作用を呈する吸込弁構成用の環状受け面，
５１ｄは内側筒状部５１ａの外周面とその周方向に部分的につながっている縦方向の外環状部，
５１ｅは下流側通路部Ｂの一部を構成する横方向の筒状部，
５１ｆは当該筒状部の周りに形成された横方向の外環状部，
５１ｇは当該外環状部の右端部から外周面にかけて（その周方向に間欠的に）形成された外気連通用の溝状部，
５１ｈは上流側通路部Ａおよび下流側通路部Ｂの連通用の孔部，
５１ｊは内側筒状部５１ａの上端部分の周方向に間歇的に形成されて外気（図８参照）や内容物（図９参照）が通過する凹状の欠落部，
５２は環状ラバー７，鞘状ピストン２２および後述のコイルスプリング５３などをいわば受けた状態でネジキャップ５１の外環状部５１ｋに嵌合保持される受け側ピース、
５３は当該受け側ピースと操作ボタン１との間に配設されて当該操作ボタンを上方向に付勢するコイルスプリング，
５４はネジキャップ５１の内側筒状部５１ａの内周面下側部分に保持（嵌合）された球体押さえ部材，
５４ａは弾性変形可能で球体５を下方に押える複数のリブ，
５５は後述の横方向ノズル部材５６に対する開口域を備えてネジキャップ５１に嵌合保持されるカバー体，
５５ａは当該カバー体をネジキャップ５１に取り付ける際に後述の横方向ノズル部材５６との衝突を回避するための周面開口部，
５６はネジキャップ５１の横方向の外環状部５１ｆに嵌合した横方向ノズル部材，
５６ａは開口部側の内周面にその周方向に間歇的に形成されて後述の筒状部材６０を保持する凸状部，
５７は横方向ノズル部材５６の開口側に嵌合して一体化された出力側ピース，
５７ａは内容物出力用の孔部，
５７ｂは内周面にその周方向に間歇的に形成されて後述の筒状部材６０を保持するリブ状部，
５８は横方向ノズル部材５６の内部空間域に配設されて孔部５７ａに対するチップシール機能を備えた蓄圧式のピストン，
５８ａは図示の静止モードにおいて出力側ピース５７の孔部５７ａを閉塞する先端側弁作用部分，
５８ｂは横方向ノズル部材５６の内周面に当接してシール作用を呈する図示左側のスカート部，
５８ｃは当該左側スカート部の基部側の部分であって図示右方向への内容物圧力を受ける垂直状の環状平面，
５８ｄはネジキャップ５１の横方向の筒状部５１ｅの内周面に当接してシール作用を呈する図示右側のスカート部，
５９はピストン５８の右側スカート部５８ｄの外周面段部とネジキャップ５１の横方向筒状部５１ｅの外側溝部分との間に配設されて横方向ノズル部材５６を図示左方向に付勢するコイルスプリング，
６０は横方向ノズル部材５６の凸状部５６ａおよび出力側ピース５７のリブ状部５７ｂに保持されて、図示左右方向に移動するピストン５８を案内する筒状部材，
をそれぞれ示している。
【００３０】
図１０で新たに用いる参照番号７１，７２について、
７１は横方向ノズル部材５６の開口側に嵌合して一体化された出力側ピース，
７１ａは内容物出力用の孔部，
７２は横方向ノズル部材５６の内部空間域に配設されて孔部７１ａに対するチップシール機能を備えた蓄圧式のピストン，
７２ａは図示の静止モードにおいて出力側ピース７１の孔部７１ａを閉塞する先端側弁作用部分，
７２ｂは横方向ノズル部材５６の内周面に当接してシール作用を呈する図示左側のスカート部，
７２ｃは当該左側スカート部の基部側の部分であって図示右方向への内容物圧力を受ける垂直状の環状平面，
７２ｄはネジキャップ５１の横方向の筒状部５１ｅの内周面に当接してシール作用を呈する図示右側のスカート部，
をそれぞれ示している。
【００３１】
図１１で新たに用いる参照番号８１〜８５について、
８１は容器本体１２の開口側筒状部に螺合するネジキャップ，
８１ａは内側筒状部５１ａと同様の作用を呈する縦方向の内側筒状部，
８１ｂは孔部５１ｂと同様の作用を呈する内容物流入用の孔部，
８１ｃは環状受け面５１ｃと同様の作用を呈する吸込弁構成用の環状受け面，
８１ｄは内側筒状部８１ａの外周面とその周方向に部分的につながっている縦方向の外環状部，
８１ｅは筒状部５１ｅと同様の作用を呈する横方向の筒状部，
８１ｆは当該筒状部の周りに形成された横方向の外環状部，
８１ｇは上流側通路部Ａおよび下流側通路部Ｂの連通用の孔部，
８１ｈは内側筒状部５１ａの上端部分の周方向に間歇的に形成されて外気（図８参照）や内容物（図９参照）が通過する凹状の欠落部，
８１ｊは放出モードにおいて容器本体内部に供給される外気の通路域（図２のＤ参照），
８２はネジキャップ５１の横方向の外環状部５１ｆに嵌合した横方向ノズル部材，
８２ａは後述のピストン８３との間での環状縁部８ａと同様の作用を呈する環状縁部，
８２ｂは当該環状縁部に付加する態様でこれの図示右側に形成されて、ピストン８３の中間外周面８３ｂとともに蓄圧式の吐出弁を構成する内方への環状突状部，
８２ｃはコイルスプリング５９の配設空間域の部分に形成された外気連通用の孔部，
８３は横方向ノズル部材８２の内部に配されて蓄圧式の吐出弁機能を持つピストン，
８３ａは横方向ノズル部材８２の環状縁部８２ａとともに蓄圧式の吐出弁を構成する環状テーパ面，
８３ｂは当該環状テーパ面の図示右側に続く部分であって横方向ノズル部材８２の環状突状部８２ｂとともに蓄圧式の吐出弁を構成する中間外周面，
８３ｃは横方向ノズル部材８２の内周面に当接してシール作用を呈する図示左側のスカート部，
８３ｄは当該左側スカート部の基部側の部分であって図示右方向への内容物圧力を受ける垂直状の環状平面，
８３ｅはネジキャップ８１の横方向の筒状部８１ｅの内周面に当接してシール作用を呈する図示右側のスカート部，
８４は合成樹脂製のスプリング付き弁，
８４ａはネジキャップ８１の内側筒状部８１ａの内周面段部（凹状部）に嵌合保持される鍔状部分，
８４ｂは当該鍔状部分から下方に続く螺旋状のスプリング部分，
８４ｃは当該スプリング部分の下端側に続いて環状受け面８１ｃとともに吸込弁を構成する半球体部分，
８５はカバー体５５やネジキャップ８１などに対して着脱自在で、「着」としたときに、操作ボタン１および出力側ピース７１などを保護するカバーキャップ，
をそれぞれ示している。
【００３２】
以上の各構成要素の中、球体５およびコイルスプリング６，１０，２６，４３，４８，５３，５９以外のものはナイロン，ポリアセタール，ポリエチレン，ポリプロピレン，ポリエチレンテレフタレート，ポリブエチレンテレフタレート，ＮＢＲ，ネオプレン，ブチルゴムなどからなる合成樹脂製要素である。
【発明を実施するための最良の形態】
【００３３】
ここで、
(1)静止モードは、操作ボタンや操作レバーが押されてなくて吐出弁が閉じた状態のことであり、
(2)放出モード（噴射モード）は、操作ボタンや操作レバーが押されて吐出弁が開き、シリンダ内を移動するピストンのシール作用部分はまだ（上流側通路部と下流側通路部との）連通孔部の対向位置まで進んでない状態のことであり、
(3)放出終了モード（噴射終了モード）は、操作ボタンや操作レバーがさらに押されてこれら操作部と連動する例えば鞘状のピストンのシール作用部分が、
・上流側通路部と下流側通路部との連通孔部（図１〜図３，図７〜図１１参照）
・当該ピストンをシール作用部分側の収容空間部とその手前の吸込弁収容空間部との連通孔部（図４〜図６参照）
それぞれの対向位置まで進んで、吐出弁がそれまでの「開」から「閉」に変化し、利用者の放出操作解除により静止モードに復帰するまでの状態のことであり、
(4)縦方向は、容器本体の上下方向（例えば図１の鞘状ピストン２，コイルスプリング６の長手方向）のことであり、
(5)横方向は、この容器本体上下方向と略直交する方向（例えば図１のピストン９，コイルスプリング１０の長手方向）のことである。
【実施例１】
【００３４】
図１の静止モードでは、
(1a)操作ボタン１および鞘状ピストン２がコイルスプリングの６の作用により上動し、
(1b)吸込弁および吐出弁が閉じ、
(1c)内容物が、（少なくともポンプ式製品を１回でも使用した後の）吸込弁から連通用の孔部３ｆを経て吐出弁にいたるまでの上流側通路部Ａおよび下流側通路部Ｂ（の一部）に入っている。【００３５】
図２の、操作ボタン１を押下げて鞘状ピストン２のシール作用部分２ｂがまだ連通用の孔部３ｆより上方位置にある放出モードでは、
(1d)鞘状ピストン２の下動に応じる形で上記(1c)の通路部の容積が小さくなって、そこの内容物圧力が次第に高まり、
(1e)ピストン９の環状平面９ｃなどで受ける図示右方向への内容物の全圧力が、当該ピストンに対するコイルスプリング１０などの図示左方向への駆動力より強くなった時点で、当該ピストンは図示右方向に移動し、
(1f)この移動により、それまで密接していた吐出弁の、出力側ピース８の環状縁部８ａとピストン９の環状テーパ面９ａとが離間し（吸込弁の環状受け面３ｃと球体５とは閉じたままである）、
(1g)この吐出弁の「開」により、それまで上記(c)の通路部に収納されていた内容物が流れＣなどにより出力側ピース８の孔部８ｂから外部空間に放出される。【００３６】
そして図３の、鞘状ピストン２が図２の位置よりもさらに下がってそのシール作用部分２ｂが連通用の孔部３ｆの位置まで移動した放出終了モードでは、
(1h)上記(1c)の通路部に通路外空間域Ｅおよび容器本体１２の内部空間域が連通して、吸込弁から吐出弁までの内容物収納空間域の容積が直前（≒図２の状態）に比べて急増し、
(1j)この容積急増により、当該収納空間域の内容物の圧力が急減して、ピストン９の環状平面９ｃなどが図示右方向に受ける全圧力も低下し、
(1k)その結果、ピストン９はコイルスプリング１０の弾性付勢力で図示左方向に復帰して、それまで開いていた吐出弁が確実に「閉」となる。【００３７】
このように、利用者が（静止モードの）操作ボタン１を所定ストロークだけ押下げて鞘状ピストン２のシール作用部分２ｂが連通用の孔部３ｆの位置まで下動すると、いわば瞬時に、それまでの放出モードから放出終了モードに移行する。【００３８】
そして利用者が操作ボタン１の押下げ操作を止める、すなわち操作ボタン１から指を離すと、当該操作ボタンおよび鞘状ピストン２はコイルスプリング６の弾性付勢力で上方向に復帰する。【００３９】
このとき、上記(1c)の通路部の容積が増えて当該通路部は容器本体１２の内部空間域に対して負圧化するので、球体５が容器本体側の内容物圧力を受けて上動し、吸込弁は「開」となる。なお、吐出弁は閉じたままである。【００４０】
その結果、容器本体１２の内容物がチューブ１１および孔部３ｂを経て上記(1c)の通路部に流入し、球体５に対して下方向にかかる当該通路部の内容物圧力および球体５の自重が、球体５に対して上方向にかかる容器本体側の内容物圧力を上回ったときに、当該球体は沈んで環状受け面３ｃと当接する。すなわち吸込弁が閉じて図１の静止モードに復帰することになる。【００４１】
なお、操作ボタン１の押圧操作にともなって、環状ラバー７は、その内側縁部分が鞘状ピストン２により下方に引きずられて「おじぎ」をしたような形になる。【００４２】
そのため、環状ラバー７と、鞘状ピストン２の外周面との接触の程度が小さくなっていくらかの隙間ができ、少なくとも図２の放出モードのときには、外気が、「当該隙間−内側筒状部３ａの凹状の欠落部−当該内側筒状部と外側上筒状部３ｄとの間の通路域」などを経る流れＤによって、容器本体に供給される。これにより、容器本体１２の内部空間域の圧力低下が補われる。【００４３】
図１のネジキャップ３に対する他の構成要素の組立作業は、例えば、
(s11)内側筒状部３ａの内部に球体５，コイルスプリング６および鞘状ピストン２を設定した状態で環状ラバー７およびカバー体４を上方から外環状部３ｄなどに取り付け、その後、操作ボタン１を鞘状ピストン２に嵌合させ、
(s12)横方向ノズル３ｅの内部にコイルスプリング１０およびピストン９を設定した状態で出力側ピース８を当該ノズルの開口部側に取り付け、
(s13)内側筒状部３ａの下端開口部にチューブ１１を取り付ける、
といった作業内容となる。なお(s11)〜(s13)の各作業単位の実行順序は任意である。
【実施例２】
【００４４】
図４の内容物放出機構が図１のそれと基本的に相違する点は、
(21)図１の押圧タイプの操作ボタン１に代えて回動タイプの操作レバー（トリガレバー）を用い、
(22)このトリガレバーの図示時計方向への回動操作（放出モード設定操作）をしたときにこれと連動する横方向の鞘状ピストンおよび、当該ピストンを図示右方向（静止モード位置）に付勢するコイルスプリングを設け、
(23)出力側ピース８を取り付ける放出部材として図１のネジキャップ３とは別体の横方向ノズル部材を設け、
(24)球体５の上方向への移動量を制限する規制片をネジキャップに形成した、
ことなどである。【００４５】
図４の静止モードでは、
(2a)コイルスプリング２６の作用により鞘状ピストン２２が図示右方向に移動し、また、この鞘状ピストンとリブ状部２１ｂを介して連動する操作レバー２１はその反時計方向に回動した初期状態にあり、
(2b)吸込弁および吐出弁が閉じ、
(2c)内容物が、（少なくともポンプ式製品を１回でも使用した後の）吸込弁から孔部２３ｄ，２３ｋを経て吐出弁にいたるまでの上流側通路部Ａおよび下流側通路部Ｂ（の一部）に入っている。【００４６】
利用者が例えば出力側ピース８の孔部８ｂを口などに設定してから操作レバー２１を時計方向に回動操作すると、鞘状ピストン２２はリブ状部２１ｂに押されてコイルスプリング２６の弾性付勢力に抗する形で図示左方向に移動して放出モード（図示省略）となる。【００４７】
すなわちこの左方向への鞘状ピストン２２の移動により、図２の場合と同じように、
(2d)上記(2c)の通路部の容積が小さくなって、そこの内容物圧力が次第に高まり、
(2e)ピストン９の環状平面９ｃなどで受ける図示右方向への内容物の全圧力が、当該ピストンに対するコイルスプリング１０などの図示左方向への駆動力より強くなった時点で、当該ピストンは図示右方向に移動し、
(2f)この移動により、それまで密接していた吐出弁の、横方向ノズル部材２４の環状縁部２４ａとピストン９の環状テーパ面９ａとが離間し（吸込弁の環状受け面２７ａと球体５とは閉じたままである）、
(2g)この吐出弁の「開」により、それまで上記(2c)の通路部に収納されていた内容物が出力側ピース８の孔部８ｂから外部空間に放出される。【００４８】
この放出モードにおける通路域２３ｊから容器内部への外気供給の態様は図２の流れＤと同様である。【００４９】
また、鞘状ピストン２２のシール作用部分２２ｂが孔部２３ｄの位置まで移動した放出終了モードにおいては、図３と同じように、いわば瞬時に、それまでの放出モードから放出終了モードに移行する。【００５０】
そして利用者が操作レバー２１の回動操作を止めると、当該操作レバーおよび鞘状ピストン２２はコイルスプリング２６の弾性付勢力で図示右方向に復帰して図４の静止モードに移行する。【００５１】
また、図３の放出終了モードにおける説明でも述べたように、この静止モードへの移行途中で容器本体１２の内容物がチューブ１１を経て上記(2c)の通路部に流入する。【００５２】
図４のネジキャップ２３に対する他の構成要素の組立作業は、例えば、
(s21)球体５およびチューブ１１を設定した状態のハウジング２７を環状突状部２３ｆに嵌合させ、
(s22)後側横筒状部２３ｂの内部にコイルスプリング２６および鞘状ピストン２２を設定した状態で、環状ラバー７および受け側ピース２５を図示右方から当該横筒状部や外環状部２３ｈなどに取り付け、
(s23)前側横筒状部２３ｃの内部にコイルスプリング１０およびピストン９を設定した状態で、（出力側ピース８を組み込んだ）横方向ノズル部材２４を環状凹部２３ｇなどに取り付け、
(s24)操作レバー２１の回動軸２１ａを横方向ノズル部材２４の一対の凹状部２４ｄに取り付ける、
といった作業内容となる。【００５３】
なお、(s21)〜(s24)の各作業単位の実行順序は、(s24)の作業を(s22)および(s23)の後で行なうという条件の下で、任意である。
【実施例３】
【００５４】
図５の内容物放出機構が図４のそれと基本的に相違する点は、
(31)図４の横方向ノズル部材２４に代えて縦方向ノズル部材を用い、
(32)この縦方向ノズル部材との間で吐出弁作用を呈するピストン９およびこれを上方向に付勢するコイルスプリング１０を上下方向に設け、
(33)上流側通路部Ａおよび下流側通路部Ｂの全体を上下方向の略直線状にした、
ことなどである。【００５５】
図５の静止モードでは、
(3a)コイルスプリング２６の作用により鞘状ピストン２２が図示右方向に移動し、また、この鞘状ピストンとリブ状部２１ｂを介して連動する操作レバー２１はその反時計方向に回動した初期状態にあり、
(3b)吸込弁および吐出弁が閉じ、
(3c)内容物が、（少なくともポンプ式製品を１回でも使用した後の）吸込弁から孔部３１ｄ，３１ｋを経て吐出弁にいたるまでの上流側通路部Ａおよび下流側通路部Ｂ（の一部）に入っている。【００５６】
利用者が例えば出力側ピース８の孔部８ｂを鼻孔などに設定してから操作レバー２１を時計方向に回動操作すると、鞘状ピストン２２はリブ状部２１ｂに押されてコイルスプリング２６の弾性付勢力に抗する形で図示左方向に移動して放出モード（図示省略）となる。【００５７】
すなわちこの左方向への鞘状ピストン２２の移動により、図２の場合と同じように、
(3d)上記(3c)の通路部の容積が小さくなって、そこの内容物圧力が次第に高まり、
(3e)ピストン９の環状平面９ｃなどで受ける図示下方向への内容物の全圧力が、当該ピストンに対するコイルスプリング１０などの図示上方向への駆動力より強くなった時点で、当該ピストンは図示下方向に移動し、
(3f)この移動により、それまで密接していた吐出弁の、縦横方向ノズル部材３２の環状縁部３２ａとピストン９の環状テーパ面９ａとが離間し（吸込弁の環状受け面２７ａと球体５とは閉じたままである）、
(3g)この吐出弁の「開」により、それまで上記(3c)の通路部に収納されていた内容物が出力側ピース８の孔部８ｂから外部空間に放出される。【００５８】
この放出モードにおける通路域２３ｊから容器内部への外気供給の態様は図２の流れＤと同様である。【００５９】
また、鞘状ピストン２２のシール作用部分２２ｂが孔部３１ｄの位置まで移動した放出終了モードにおいては、図３と同じように、いわば瞬時に、それまでの放出モードから放出終了モードに移行する。【００６０】
そして利用者が操作レバー２１の回動操作を止めると、当該操作レバーおよび鞘状ピストン２２はコイルスプリング２６の弾性付勢力で図示右方向に復帰して図５の静止モードに移行する。【００６１】
また、図３の放出終了モードにおける説明でも述べたように、この静止モードへの移行途中で容器本体１２の内容物がチューブ１１を経て上記(3c)の通路部に流入する。【００６２】
図５のネジキャップ３１に対する他の構成要素の組立作業は、例えば、
(s31)球体５およびチューブ１１を設定した状態のハウジング２７を環状突状部３１ｆに嵌合させ、
(s32)中間鞘状部３１ｂの内部にコイルスプリング２６および鞘状ピストン２２を設定した状態で、環状ラバー７および受け側ピース２５を図示右方から当該中間鞘状部や外環状部３１ｈなどに取り付け、
(s33)上側縦筒状部３１ｃの内部にコイルスプリング１０およびピストン９を設定した状態で、（出力側ピース８を組み込んだ）縦方向ノズル部材３２を外環状部３１ｇなどに取り付け、
(s34)操作レバー２１の回動軸２１ａを縦方向ノズル部材３２の一対の凹状部３２ｄに取り付ける、
といった作業内容となる。【００６３】
なお、(s31)〜(s34)の各作業単位の実行順序は、(s34)の作業を(s32)および(s33)の後で行なうという条件の下で、任意である。
【実施例４】
【００６４】
図６の内容物放出機構が図５のそれと基本的に相違する点は、
(41)図５の回動タイプの操作レバー２１に代えて横方向押圧タイプの操作ボタンを用い、
(42)操作ボタン４１およびピストン４７を個々に付勢するコイルスプリング４３，４８をそれぞれ内容物通路外の部分に設けた、
ことなどである。【００６５】
このようにピストン９および鞘状ピストン２２の付勢部材としていわゆるアウタースプリングを用いることより、放出対象である内容物が金属に触れる程度をできるだけ少なくし、金属接触にともなう内容物の変化などを防止している。【００６６】
図６の静止モードでは、
(4a)コイルスプリング４３の作用により操作ボタン４１および鞘状ピストン４２が図示右方向に移動した初期状態にあり、
(4b)吸込弁および吐出弁が閉じ、
(4c)内容物が、（少なくともポンプ式製品を１回でも使用した後の）吸込弁から孔部４４ｄ，４４ｋを経て吐出弁にいたるまでの上流側通路部Ａおよび下流側通路部Ｂ（の一部）に入っている。【００６７】
利用者が例えば出力側ピース８の孔部８ｂを鼻孔などに設定してから操作ボタン４１を図示左方向に押圧操作すると、鞘状ピストン４２はコイルスプリング４３の弾性付勢力に抗する形で図示左方向に移動して放出モード（図示省略）となる。【００６８】
すなわちこの左方向への鞘状ピストン４２の移動により、図２の場合と同じように、
(4d)上記(4c)の通路部の容積が小さくなって、そこの内容物圧力が次第に高まり、
(4e)ピストン４７の環状平面４７ｄなどで受ける図示下方向への内容物の全圧力が、当該ピストンに対するコイルスプリング４８などの図示上方向への駆動力より強くなった時点で、当該ピストンは図示下方向に移動し、
(4f)この移動により、それまで密接していた吐出弁の、筒状体４６の環状縁部４６ａとピストン４７の環状テーパ面４７ａとが離間し（吸込弁の環状受け面２７ａと球体５とは閉じたままである）、
(4g)この吐出弁の「開」により、それまで上記(4c)の通路部に収納されていた内容物が出力側ピース８の孔部８ｂから外部空間に放出される。【００６９】
この放出モードにおける通路域４４ｊから容器内部への外気供給の態様は図２の流れＤと同様である。【００７０】
また、鞘状ピストン４２のシール作用部分４２ｂが孔部４４ｄの位置まで移動した放出終了モードにおいては、図３と同じように、いわば瞬時に、それまでの放出モードから放出終了モードに移行する。【００７１】
そして利用者が操作ボタン４１の押圧操作を止めると、当該操作ボタンおよび鞘状ピストン４２はコイルスプリング４３の弾性付勢力で図示右方向に復帰して図６の静止モードに移行する。【００７２】
また、図３の放出終了モードにおける説明でも述べたように、この静止モードへの移行途中で容器本体１２の内容物がチューブ１１を経て上記(4c)の通路部に流入する。【００７３】
図６のネジキャップ４４に対する他の構成要素の組立作業は、例えば、
(s41)球体５およびチューブ１１を設定した状態のハウジング２７を環状突状部４４ｆに嵌合させ、
(s42)環状ラバー７，受け側ピース２５，操作ボタン４１，鞘状ピストン４２およびコイルスプリング４３のそれぞれを組み込んだ形のユニットを、図示右方から中間鞘状部４４ｂや外環状部４４ｈなどに取り付け、
(s43)上側縦筒状部４４ｃの内側にピストン４７を、かつ外側にコイルスプリング４８をそれぞれ設定した状態で、（出力側ピース８を組み込んだ）縦方向ノズル部材４５を外環状部４４ｇなどに取り付ける、
といった作業内容となる。なお、(s41)〜(s43)の各作業単位の実行順序は任意である。
【実施例５】
【００７４】
なお、図５および図６の内容物放出機構において、孔部３１ｋと孔部３１ｄとの図示左右方向における位置関係、また孔部４４ｋと孔部４４ｄとの図示左右方向における位置関係をそれぞれ逆にしてもよい。【００７５】
この場合、孔部３１ｄおよび孔部４４ｄは単なる連通用孔部として作用する。【００７６】
一方、孔部３１ｋおよび孔部４４ｋは、鞘状ピストン２２，４２のシール作用部分２２ｂ，４２ｂ（の一部）と中間鞘状部３１ｂ，４４ｂとの間のシール状態を解除して、それまでの放出モードを放出終了モードに移行させる機能を持つ。【００７７】
これは、放出モードにおける鞘状ピストン２２，４２のシール作用部分２２ｂ，４２ｂが図示左方向に移動していくとき、先ず孔部３１ｋおよび孔部４４ｋに到達する位置関係となるからである。【００７８】
すなわち、鞘状ピストン２２，４２のシール作用部分２２ｂ，４２ｂが孔部３１ｋおよび孔部４４ｋに到達すると、上述したように（図３参照）、
(1h)’上記(1c)の通路部に通路外空間域Ｅおよび容器本体１２の内部空間域が連通して、吸込弁から吐出弁までの内容物収納空間域の容積が直前（≒図２の状態）に比べて急増し、
(1j)’この容積急増により、当該収納空間域の内容物の圧力が急減して、ピストン９の環状平面９ｃなどが図示下方向に受ける全圧力も低下し、
(1k)’その結果、ピストン９はコイルスプリング１０の弾性付勢力で図示上方向に復帰して、それまで開いていた吐出弁が確実に「閉」となる。
【実施例６】
【００７９】
図７〜図９の内容物放出機構が図１のそれと基本的に相違する点は、
(51)操作ボタン１および下流側のピストン５８を個々に付勢するコイルスプリング５３，５９をそれぞれ内容物通路の外側空間域に設け、
(52)内容物出力用の孔部５７ａに対するチップシール機能を備えた、
ことなどである。【００８０】
このように操作ボタン１およびピストン５８の付勢部材としていわゆるアウタースプリングを用いることより、放出対象である内容物が金属に触れる程度をできるだけ少なくし、金属接触にともなう内容物の変化などを防止している。【００８１】
また、内容物出力用の孔部５７ａをピストン５８で直接開閉することにより、放出モードから静止モードに復帰した後で当該孔部近くの通路などの残留内容物が当該孔部から外に流出することなどを防止している。【００８２】
図7の静止モードでは、
(5a)コイルスプリング５３の作用により操作ボタン１およびこれと一体の鞘状ピストン２が図示上方向に移動した初期状態にあり、
(5b)吸込弁および吐出弁が閉じ、
(5c)内容物が、（少なくともポンプ式製品を１回でも使用した後の）吸込弁から孔部５１ｈを経て吐出弁にいたるまでの上流側通路部Ａおよび下流側通路部Ｂ（の一部）に入っている。【００８３】
利用者が例えば出力側ピース５７の孔部５７ａを例えば口などに設定してから操作ボタン１を下方向に押圧操作すると、鞘状ピストン２はコイルスプリング５３の弾性付勢力に抗する形で図示下方向に移動して図８の放出モードとなる。【００８４】
すなわちこの下方向への鞘状ピストン２の移動により、
(5d)上記(5c)の通路部の容積が小さくなって、そこの内容物圧力が次第に高まり、
(5e)ピストン５８の環状平面５８ｃなどが受ける図示右方向への内容物の全圧力が、当該ピストンに対するコイルスプリング５９などの図示左方向への駆動力より強くなった時点で、当該ピストンは図示右方向に移動し、
(5f)この移動により、それまで密接していた吐出弁の、出力側ピース５７の孔部５７ａとピストン５８の先端側弁作用部分５８ａとが離間し（吸込弁の環状受け面２７ａと球体５とは閉じたままである）、
(5g)この吐出弁の「開」により、それまで上記(5c)の通路部に収納されていた内容物が流れＣなどにより出力側ピース５７の孔部５７ａから外部空間に放出される。【００８５】
この放出モードにおいて、容器内部への流れＤによる外気供給が行われるのは図２の場合と同様である。【００８６】
また、鞘状ピストン２２のシール作用部分２２ｂが孔部２３ｄの位置まで移動した図９の放出終了モードにおいては、図３と同じように、いわば瞬時に、それまでの放出モードから放出終了モードに移行する。【００８７】
そして利用者が操作ボタン１の押圧操作を止めると、当該操作ボタンおよび鞘状ピストン２はコイルスプリング５３の弾性付勢力で図示上方向に復帰して図７の静止モードに移行する。【００８８】
また、図９の放出終了モードから図７の静止モードへ復帰する際には、図３に関して述べたように、容器内容物の圧力で球体５の吸込弁がいったん開いてそこから容器本体１２の内容物が上記(5c)の通路部に流入する。【００８９】
図７のネジキャップ５１に対する他の構成要素の組立作業は、例えば、
(s51)横方向の筒状部５１ｅの内側にピストン５８を、かつ外側にコイルスプリング５９をそれぞれ設定した状態で、（出力側ピース５７を組み込んだ）横方向ノズル部材５６を横方向の外環状部５１ｆに嵌合させ、
(s52)カバー体５５を縦方向の外環状部５１ｄに嵌合させ、
(s53)内側筒状部５１ａの内部に球体５および球体押さえ部材５４を取り付け、
(s54)操作ボタン１，鞘状ピストン２，環状ラバー７，受け側ピース５２およびコイルスプリング５３のそれぞれを組み込んだ形のユニットを、図示上方から内側筒状部５１ａや外環状部５１ｄなどに嵌合させ、
(s55)内側筒状部５１ａの下端開口部にチューブ１１を取り付ける、
といった作業内容となる。【００９０】
なお、(s51)〜(s55)の各作業単位の実行順序は、(s52)の作業を(s51)の後で行ない、かつ(s54)の作業を(s52)および(s53)の後で行なうという条件の下で、任意である。
【実施例７】
【００９１】
図１０の内容物放出機構が図７のそれと基本的に相違する点は、
(61)図７の出力側ピース５７に代えて、その孔部５７ａの側が横方向ノズル部材５６の先端部分よりも積極的に突出した形状の出力側ピース７１を用い、
(62)図７の蓄圧式のピストン５８に代えて、（静止モードのときの）その先端側弁作用部分５８ａが当該出力側ピースの孔部に当接する形状のピストン７２を用いた、
(63)図７の当該出力側ピース５７の内部に取り付けられた筒状部材６０を用いていない、
ことなどである。【００９２】
図１０の内容物放出機構の静止モード，放出モード，放出終了モードなどにおける動作説明は図７〜図９のそれぞれと同じである。【００９３】
すなわち、図７〜図９の説明における出力側ピース５７およびピストン５８についての各用語をそれぞれ「出力側ピース７１」および「ピストン７２」に対応させた内容のものが、図１０の内容物放出機構の動作説明としても妥当する。【００９４】
また、図１０のネジキャップ５１に対する他の構成要素の組立作業は、図７のそれと同様である。
【実施例８】
【００９５】
図１１の内容物放出機構が図１０のそれと基本的に相違する点は、
(71)図１０の出力側ピース７１の孔部７１ａに対するチップシール機能を省き、
(72)図１０の球体５および球体押さえ部材５４に代えて合成樹脂製のスプリング付き弁を用い、
(73)吐出弁に二重シール機能を持たせ、
(74)押ボタン，横方向ノズル部材や出力側ピースなどに対するカバーキャップを設けた、
ことなどである。【００９６】
このように操作ボタン１およびピストン８３の各付勢部材のアウタースプリング化に加えて吸込弁の合成樹脂化を図ることより、放出対象である内容物が金属に触れる程度をなくし、金属接触にともなう内容物の変化などをより確実に防止している。【００９７】
また、吐出弁の二重構造化により、静止モードにおける内容物が外部空間に漏れることをより確実に防止している。【００９８】
図１１の静止モードでは、
(6a)コイルスプリング５３の作用により操作ボタン１およびこれと一体の鞘状ピストン２が図示上方向に移動した初期状態にあり、
(6b)吸込弁および吐出弁が閉じ、
(6c)内容物が、（少なくともポンプ式製品を１回でも使用した後の）吸込弁から孔部８１ｇを経て吐出弁にいたるまでの上流側通路部Ａおよび下流側通路部Ｂ（の一部）に入っている。【００９９】
利用者がカバーキャップ８５をカバー体５５やネジキャップ８１などから取り外して、例えば出力側ピース５７の孔部５７ａを例えば口などに設定した上で操作ボタン１を下方向に押圧操作すると、鞘状ピストン２はコイルスプリング５３の弾性付勢力に抗する形で図示下方向に移動して放出モード（図８参照）となる。【０１００】
すなわちこの下方向への鞘状ピストン２の移動により、
(6d)上記(6c)の通路部の容積が小さくなって、そこの内容物圧力が次第に高まり、
(6e)ピストン８３の環状平面８３ｄなどが受ける図示右方向への内容物の全圧力が、当該ピストンに対するコイルスプリング５９などの図示左方向への駆動力より強くなった時点で、当該ピストンは図示右方向に移動し、
(6f)この移動により、それまで密接していた二重吐出弁の、
・横方向ノズル部材８２の環状縁部８２ａとピストン８３の環状テーパ面８３ａとの部分
・横方向ノズル部材８２の環状突状部８２ｂとピストン８３の中間外周面８３ｂとの部分
がそれぞれが離間し（吸込弁の環状受け面２７ａと球体５とは閉じたままである）、
(6g)この二重吐出弁の「開」により、それまで上記(6c)の通路部に収納されていた内容物が出力側ピース７１の孔部７１ａから外部空間に放出される。【０１０１】
この放出モードにおける通路域８１ｊから容器内部への外気供給の態様は図２の流れＤと同様である。【０１０２】
また、鞘状ピストン２のシール作用部分２ｂが孔部８１ｇの位置まで移動した放出終了モードにおいては、図３と同じように、いわば瞬時に、それまでの放出モードから放出終了モードに移行する。【０１０３】
そして利用者が操作ボタン１の押圧操作を止めると、当該操作ボタンおよび鞘状ピストン２はコイルスプリング５３の弾性付勢力で図示上方向に復帰して図１１の静止モードに移行する。【０１０４】
また、図３の放出終了モードにおける説明でも述べたように、この静止モードへの移行途中で容器本体１２の内容物がチューブ１１，孔部８１ｂおよび開状態の吸込弁などを経て上記(6c)の通路部に流入する。【０１０５】
図１１のネジキャップ５１に対する他の構成要素の組立作業は、図７のそれと同様である。
【実施例９】
【０１０６】
容器内容物の対象としては、液状，発泡性（泡状），ペースト状，ジェル状，粉状などの各種性状のものがある。【０１０７】
本発明が適用されるポンプ式製品としては、点鼻薬剤，洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。【０１０８】
容器本体に収納する内容物は、例えば、粉状物，油成分，アルコール類，界面活性剤，高分子化合物，各用途に応じた有効成分などである。【０１０９】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。【０１１０】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。【０１１１】
アルコール類としては、エタノールなどの１価の低級アルコール，ラウリルアルコールなどの１価の高級アルコール，エチレングリコールなどの多価アルコールなどを用いる。【０１１２】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。【０１１３】
高分子化合物としては、メチルセルロース，ゼラチン，デンプン，カゼインなどを用いる。【０１１４】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。【０１１５】
さらに、上記内容物以外の、懸濁剤，紫外線吸収剤，乳化剤，保湿剤，酸化防止剤、金属イオン封鎖剤なども用いることができる。
【図１】
0004650848.tif 000002
【図２】
0004650848.tif 000003
【図３】
0004650848.tif 000004
【図４】
0004650848.tif 000005
【図５】
0004650848.tif 000006
【図６】
0004650848.tif 000007
【図７】
0004650848.tif 000008
【図８】
0004650848.tif 000009
【図９】
0004650848.tif 000010
【図１０】
0004650848.tif 000011
【図１１】
0004650848.tif 000012